(57)【特許請求の範囲】
【請求項１】
上流側に配置されている少なくとも鉛直方向に剛性を有する剛体部材と、この剛体部材の下流側に連結部材をもって対水迎角を決定するように連結されて配置されている可撓性拡網部材とを有することを特徴とするトロール拡網体。
【請求項２】
上流側に配置されているオッターボードからなる剛体部材と、この剛体部材に連結されて下流側に配置されている可撓性拡網部材とを有することを特徴とするトロール拡網体。
【発明の詳細な説明】
【０００１】
【発明の属する技術分野】
本発明は、可撓性を有する可撓性拡網部材を用いて海底を荒らすことのない自然に優しいトロール拡網体に関する。
【０００２】
【従来の技術と発明が解決しようとする課題】
一般に、引き網の網口の拡開を行なうために大重量で定型のオッターボードが多用されている。
【０００３】
しかしながら、前記オッターボードは金属製で大重量のため、トロール漁業の操業中に海底に接触すると海底の海洋資源を大きく荒らしてしまうという問題点があった。
【０００４】
この問題点を解消する手段として、引き網の網口を拡開するために引き網自身およびその近傍に取り付けられているキャンバス地等の可撓性部材によって製せられている拡網体を利用することが考えられる。
【０００５】
この可撓性を有する拡網体は、キャンバス地によって翼状に形成され、引き網の袖網部、身網部の上部や下部等の位置に取付けられて、引き網の曳航時に、内面側に水流を受け、引き網の網口を拡開させるようにしている。
【０００６】
ところが、このような可撓性を有する拡網体をオッターボードと同様の引き綱の途中に設置したとしても、翼部分が開かないために、翼部分の拡開時の面積に相応する拡網力を発揮できず、利用不可能であった。
【０００７】
本発明はこれらの点に鑑みてなされたものであり、可撓性を有する可撓性拡網部材を用いて従来のオッターボードと同様に引き綱の途中に設置して用いることができ、しかも海底を荒らすことのない自然に優しいトロール拡網体を提供することを目的としている。
【０００８】
【課題を解決するための手段】
前記目的を達成するために、本発明のトロール拡網体は、上流側に配置されている少なくとも鉛直方向に剛性を有する剛体部材と、この剛体部材の下流側に連結部材をもって対水迎角を決定するように連結されて配置されている可撓性拡網部材とを有することを特徴とする。
【０００９】
本発明によれば、トロール拡網体が引き網と一緒に水中に投入されると、上流側に配置されている少なくとも鉛直方向に剛性を有する剛体部材に連結部材をもって対水迎角を決定するように連結されている下流側の可撓性拡網部材の内面側に水が流入して、可撓性拡網部材が翼状に拡開され、所定の対水迎角および所定の面積をもって水流を受けると拡網力を発揮するようになる。しかも、可撓性拡網部材は海底に接触したとしても可撓性を有するために海底を荒らすことがなく、更に可撓性拡網部材は剛体部材が海底に接触するのを防止して自然保護を図ることができる。
【００１１】
また、上流側に配置されているオッターボードからなる剛体部材と、この剛体部材に連結されて下流側に配置されている可撓性拡網部材とをもってトロール拡網体を形成すると、当該オッターボードと可撓性拡網部材とが複葉のオッターボードとして作用して拡網力を発揮するようになる。
【００１２】
【発明の実施の形態】
以下、本発明の実施例を図１から図６について説明する。
【００１３】
図１から図３は本発明のトロール拡網体の１実施形態を示し、底引き用の引き網に適用したものである。
【００１４】
図１に示すように、トロール船１から２本の引き綱２、２が繰り出され、各下流端部に本実施形態のトロール拡網体３、３が固着され、その下流側にオッターペンネント４、４を介して引き網５が取付られている。
【００１５】
各トロール拡網体３は図２および図３に示すように形成されている。このトロール拡網体３は、上流側に配置されている剛体部材６と、この剛体部材６に連結されて下流側に配置されている可撓性拡網部材７とによって形成されている。一方の剛体部材６は、強化樹脂製のフレーム状に形成されており、２本の縦辺６ａと３本の横辺６ｂとを連結した形状とされている。他方の可撓性拡網部材７は、水中翼部８とこれを剛体部材６の各横辺６ｂに連結する連結部材９とによって形成されている。水中翼部８はキャンバス地等の可撓性部材からなる平面状の内側布地８ａと、同じくキャンバス地等の可撓性部材（図２および図３において細線の陰線部分）からなる断面半円形状の外側布地８ｂとにより、上流端（図２および図３において左方端）のみに開口１０を開設した前後に長い袋状としたものを上下方向に４列並べて形成されており、かつ、開口１０より流入した水により翼状の略剛体形状になるようにされている。内側布地８ａの上下の各端縁と中央部とをそれぞれ各連結部材９によって、剛体部材６に対する可撓性拡網部材７の内側布地８ａの対水迎角を決定するように、剛体部材６側の長方形状の網地９ａ（図２および図３においてクロス細線部分）と内側布地８ａ側の三角形状の布地９ｂとによって連結している。これらの網地９ａおよび布地９ｂに代えてロープを用いてもよい。引き綱２は剛体部材６の中央部の横辺６ｂに連結され、オッターペンネント４は下流側の縦辺６ａに連結される。
【００１６】
次に、本実施例の作用を説明する。
【００１７】
まず、トロール漁船１上に搭載されている引き網５等を水中に投網する場合には、引き網５、オッターペンネント４、トロール拡網体３および引き綱２の順に投網して行くが、本実施例には大型で大重量のオッターボードが無いので、その作業が極めて安全、かつ、容易なものとなる。
【００１８】
水中に投網された各トロール拡網体３は、水流を受け、その外力の外側方向成分によって上流側に配置されている剛体部材６に連結されている下流側の可撓性拡網部材７の水中翼部８の内側布部材８ａの内面側に水が流入して、可撓性拡網部材７が翼状に拡開され、水流を受けると拡網力を発揮するようになる。特に、本実施形態においては、各拡網体７が袋状の水中翼部８を有しているために、水中に投入された直後に水中翼部８の内側布地８ａと外側布地８ｂとの間に、上流端の開口１０より水流が流入して、水中翼部８を膨らませて翼状の略剛体形状とさせ、これと同時に剛体部材６との連携作用により水中翼部８の水中への投入後、早期に自動的に対水迎角を所定値に設定させて安定的な姿勢を保持するので、各水中翼部８に拡網力が発生し、引き網５は急速に網口を拡開される。これにより、本実施形態においては、引き網５を早期に操業可能状態に展張させることができる。また、本実施形態の可撓性拡網部材７においては、水中翼部８の内部に複数の連結部材９が設けられているために、翼状の形状維持が確実に行なわれる。よって、本実施形態のトロール拡網体３によれば極めて大きな拡網力が早期に発生し、引き網５へ付与されることとなる。なお、水中翼部８の内側布地８ａを省いてもよい。
【００１９】
更に、本実施形態のトロール拡網体３によれば、可撓性拡網部材７は海底に接触したとしても可撓性を有するために海底を荒らすことがなく、更に可撓性拡網部材７は剛体部材６が海底に接触するのを確実に防止して、自然保護を図ることができる。
【００２０】
また、引き網１等の船上への揚網作業は、投網作業と逆工程で極めて容易に行なわれる。
【００２１】
図４は本発明の他の実施形態を示したものであり、図２および図３に示す実施形態に比較して、剛体部材６の横辺６ｂを１本増加し、さらに剛体部材６より可撓性拡網部材７の面積を大きく形成したものである。図２および図３と同一構成部分には同一符号を付して説明を省略する。このように形成することにより可撓性拡網部材７の面積を自由に調整することができ、必要とされる拡網力を得るための適正な拡網力を発揮する大きさのトロール拡網体を得ることができる。例えば、可撓性拡網部材７の最大面積を剛体部材６の最大面積の１〜７倍に調整することができる。また、剛体部材６に対して異なる面積を有する水中翼部８からなる複数の可撓性拡網部材７を備えておいて、使用目的の応じて交換するようにしてもよい。
【００２２】
図５は本発明の更に他の実施形態を示したものであり、図２および図３に示す実施形態におけるフレーム状の剛体部材６に代えて公知の構成のオッターボード１１を用いたものである。図２および図３と同一構成部分には同一符号を付して説明を省略する。本実施形態によれば、オッターボード１１と可撓性拡網部材７とが共に水流を受けて拡網力を発揮するので、あたかも複葉のオッターボードとして作用して拡網力を発揮することができる。
【００２３】
図６は本発明の更に他の実施形態を示したものであり、図５に示す実施形態に比較して、オッターボード１１より可撓性拡網部材７の面積を大きく形成したものである。図５と同一構成部分には同一符号を付して説明を省略する。本実施形態によれば、オッターボード１１と可撓性拡網部材７とが共に水流を受けて拡網力を発揮するので、あたかも複葉のオッターボードとして作用して拡網力を発揮することができるとともに、可撓性拡網部材７の面積を自由（例えば、オッターボード１１の１〜７倍）に調整することができ、必要とされる拡網力を得るための適正な拡網力を発揮する大きさのトロール拡網体を得ることができる。
【００２４】
また、本発明は前記実施形態に限定されるものではなく、必要に応じて変更することができる。
【００２５】
【発明の効果】
このように本発明のトロール拡網体は構成され作用するものであるから、可撓性を有する可撓性拡網部材を用いて従来のオッターボードと同様に引き綱の途中に設置して用いることができるとともに、海底を荒らすことのない自然に優しいものとすることができる。
【００２６】
具体的には、トロール拡網体が引き網と一緒に水中に投入されると、上流側に配置されている少なくとも鉛直方向に剛性を有する剛体部材に連結部材をもって対水迎角を決定するように連結されている下流側の可撓性拡網部材の内面側に水が流入して、可撓性拡網部材が翼状に拡開され、所定の対水迎角および所定の面積をもって水流を受けると拡網力を発揮するようになる。しかも、可撓性拡網部材は海底に接触したとしても可撓性を有するために海底を荒らすことがなく、更に可撓性拡網部材は剛体部材が海底に接触するのを防止して自然保護を図ることができる。
【００２８】
また、上流側に配置されているオッターボードからなる剛体部材と、この剛体部材に連結されて下流側に配置されている可撓性拡網部材とをもってトロール拡網体を形成すると、当該オッターボードと可撓性拡網部材とが複葉のオッターボードとして作用して拡網力を発揮することができる。
【図面の簡単な説明】
【図１】  本発明のトロール拡網体の１実施形態を利用したトロール漁法を示す全体斜視図
【図２】  本発明のトロール拡網体の１実施形態を示す斜視図
【図３】  図２の分解斜視図
【図４】  本発明のトロール拡網体の他の実施形態を示す斜視図
【図５】  本発明のトロール拡網体の更に他の実施形態を示す斜視図
【図６】  本発明のトロール拡網体の更に他の実施形態を示す斜視図
【符号の説明】
２  引き綱
３  トロール拡網体
５  引き網
５  網口
６  剛性部材
７  可撓性拡網部材
【図１】
0004904634.tif 000002
【図２】
0004904634.tif 000003
【図３】
0004904634.tif 000004
【図４】
0004904634.tif 000005
【図５】
0004904634.tif 000006
【図６】
0004904634.tif 000007